(57)【要約】【課題】  Inter-ＲＡＴＰＳ−ＨＯでのＣＳ Fallback時において、ＭＳＣなど交換機が利用不可の場合であっても、他の交換機を選択することができる交換機選択方法、通信制御装置、および交換機を提供することを目的とする。【解決手段】  利用可能なＭＳＣ２００は、着信要求に際して、ＲＮＣ１００に移動局４００のＩＭＳＩとＧ−ＣＮＩＤとを送信しておく。その後、ＬＴＥからＷＣＤＭＡに移動局４００がその在圏先を切り替え処理（ＣＳFallback）が行われ、その際に引き継がれたＩＭＳＩがＳＧＳＮ３００からＲＣＮ１００に送信され、ＴＭＳＩ／ＩＭＳＩ保持部１０３は、ＭＳＣ２００を特定可能な情報として、移動局４００のＩＭＳＩを記憶しておく。そして、ＲＮＣ１００は、移動局４００からＣＳ接続要求を受信すると、記憶されているＩＭＳＩを用いて、ＭＳＣ２００を特定する。【選択図】  図２
2014232925.tif 000002
【特許請求の範囲】
【請求項１】
第１の通信システムにおける移動局が在圏可能な第１の交換機と、交換機選択装置において選択指示がなされることにより前記第１の通信システムにおける前記移動局が通信可能な第２の交換機と、に接続される通信制御装置の交換機選択方法において、
移動局が第２の通信システムから第１の通信システムに在圏先を切り替える際に、前記交換機選択装置において選択された前記第２の交換機を特定可能な情報を記憶手段に記憶する記憶ステップと、
着信要求に応じて、前記移動局から前記第１の交換機の識別情報を含んだ接続要求を受信する接続要求受信ステップと、
前記接続要求受信ステップにより接続要求が受信されると、前記第１の交換機の状態を判断する状態判断ステップと、
前記状態判断ステップにより前記第１の交換機が利用不可であると判断されると、前記記憶手段に記憶された前記第２の交換機を特定可能な情報に基づいて前記第２の交換機を特定する特定ステップと、
前記特定ステップにより特定された前記第２の交換機に対して接続要求を送信する接続要求ステップと、
を備える交換機選択方法。
【請求項２】
前記第１の通信システムにおける第３の交換機が、
移動局が第２の通信システムから第１の通信システムに切り替える際に、前記交換機選択装置において選択された前記第２の交換機を特定可能な情報を、前記第２の通信システムから取得する取得ステップと、
前記取得ステップにおいて取得された第２の交換機を特定可能な情報を前記通信制御装置に送信する送信ステップと
を備え、
前記通信制御装置における前記記憶ステップは、前記取得ステップにおいて取得された第２の交換機を特定可能な情報を記憶する
ことを特徴とする請求項１に記載の交換機選択方法。
【請求項３】
前記第２の交換機が、
当該第２の交換機を特定可能な情報を含んだ着信要求を前記通信制御装置または前記第２の通信システムに送信する着信要求ステップと、
を備え、
前記記憶ステップは、前記着信要求ステップにおいて送信された着信要求に含まれる前記第２の交換機を特定可能な情報を記憶する
ことを特徴とする請求項２に記載の交換機選択方法。
【請求項４】
第１の通信システムにおける移動局が在圏可能な第１の交換機と、交換機選択装置において選択指示がなされることにより前記第１の通信システムにおける前記移動局が通信可能な第２の交換機とに接続される通信制御装置において、
移動局が第２の通信システムから第１の通信システムに在圏先を切り替える際に、前記交換機選択装置において選択された前記第２の交換機を特定可能な情報を記憶する記憶手段と、
前記着信要求に応じて、前記移動局から前記第１の交換機の識別情報を含んだ接続要求を受信する接続要求受信手段と、
前記接続要求受信手段により接続要求が受信されると、前記第１の交換機の状態を判断する状態判断手段と、
前記状態判断手段により第１の交換機が利用不可であると判断されると、前記記憶手段に記憶された前記第２の交換機を特定可能な情報に基づいて前記第２の交換機を特定する特定手段と、
前記特定手段により特定された前記第２の交換機に対して接続要求を送信する接続要求手段と、
を備える通信制御装置。
【請求項５】
前記移動局に対する、前記移動局の識別情報および前記第２の交換機の識別情報を含んだ着信要求を受信する着信要求受信手段と、
前記着信要求受信手段により受信された前記移動局の識別情報および前記第２の交換機の識別情報を記憶する識別情報記憶手段と、を備え、
前記記憶手段は、第２の交換機を特定可能な情報として、前記移動局の識別情報を記憶しておき、
前記特定手段は、前記移動局から接続要求がされると、前記記憶手段に記憶されている識別情報を用いて、前記識別情報記憶手段から、当該識別情報に対応する前記第２の交換機の特定を行う
ことを特徴とする請求項４に記載の通信制御装置。
【請求項６】
第２の通信システムから第１の通信システムに切り替える際に、前記第２の交換機の識別情報を、前記第１の通信システムにおけるパケット通信用の交換機から受信する識別情報受信手段を備え、
前記記憶手段は、前記識別情報受信手段により受信された前記第２の交換機の識別情報を、第２の交換機を特定可能な情報として記憶する
ことを特徴とする請求項４に記載の通信制御装置。
【請求項７】
前記接続要求受信手段により接続要求が受信されると、第２の通信システムから第１の通信システムへ、移動局の在圏先を切り替えるための手順が行われたか否かを判断する切替手順判断手段をさらに備え、
前記特定手段は、前記状態判断手段により第１の交換機が利用不可であると判断されるとともに、前記切替手順判断手段にて、切替手順が行われたと判断されると、前記記憶手段に記憶された前記第２の交換機の識別情報に基づいて前記第２の交換機の特定を行う、
請求項６に記載の通信制御装置。
【請求項８】
第１の通信システムに配置される交換機であって、
交換機選択装置により利用可能な交換機として選択され、移動局に対する着信要求処理が受け付けられると、前記移動局の識別情報および前記交換機を示す交換機識別情報を含んだ第１の着信要求を、請求項５に記載の通信制御装置に送信するとともに、第２の着信要求を第２の通信システム宛てに送信する送信手段
を備える交換機。
【請求項９】
第１の通信システムに配置される交換機であって、
交換機選択装置により利用可能な交換機として選択され、移動局に対する着信要求処理が受け付けられると、第１の着信要求を、請求項６に記載の通信制御装置に送信するとともに、前記交換機を示す交換機識別情報を含んだ第２の着信要求を第２の通信システム宛てに送信する送信手段
を備える交換機。
【発明の詳細な説明】
【技術分野】
【０００１】
本発明は、移動局に対する通信制御を行う交換機を選択する交換機選択方法、通信制御装置、および交換機に関する。
に関する。
【背景技術】
【０００２】
３ＧＰＰ(3rdGeneration Partnership Project)において、ＲＮＣ（Radio NetworkController）が複数のＣＮ(Core Network)ノードに接続するＩｕ−Ｆｌｅｘ技術が規定されている。このＩｕ−Ｆｌｅｘにおいては、ＣＮは、ＣＳ（Circuit Switched）ドメインおよびＰＳ（Packet Switched）ドメインとから構成されている。そして、ＣＳドメインには、移動サービス交換機（ＭＳＣ：Mobile-Services）が配置され、ＰＳドメインには、ＳＧＳＮ（ServingGPRS Support Node）が配置されている。そして、ＲＮＣが適切にＣＮノードを選択することにより、ＣＮノードの負荷分散や故障時のサービス中断回避を実現している。
【０００３】
ここで下記特許文献１には、例えば、利用不可の交換機への着信要求を受け付けた場合、識別情報に含まれている特定情報に基づいて、当該交換機以外の他の交換機へ着信要求を送信する処理、および着信要求を送信した交換機へ呼接続する動作が記載されている。この文献１においては、識別情報として、ＴＭＳＩ（Temporary Mobile Subscriber Identity：ＭＳＣにて払い出されるＩＤ）またはＰ−ＴＭＳＩ（Packet-Temporary Mobile Subscriber Identity：ＳＧＳＮで払い出されるＩＤ）が用いられている。
【先行技術文献】
【特許文献】
【０００４】
【特許文献１】特開２０１２−７００８６号公報
【発明の概要】
【発明が解決しようとする課題】
【０００５】
しかしながら、上述特許文献１に記載の技術では、ＣＳ Fallback時に、着信要求をしたＭＳＣを特定できない場合がある。ここで、ＣＳFallbackとは、例えば移動局のＬＴＥ(Long Term Evolution)在圏時に、ＷＣＤＭＡシステムへ切り替えて、ＣＳ接続を実施する方式のことである。３ＧＰＰにおいては、ＬＴＥからＷＣＤＭＡへの切り替えは、Inter−ＲＡＴ ＰＳ−ＨＯ方式とＲＲＣ Connection Releasewith Redirection方式とが規定されている（３ＧＰＰ ＴＳ ２５．３３１／３６．３３１）。InterＲＡＴ ＰＳ−ＨＯを用いたＣＳ Fallbackは、移動局と無線ネットワーとの接続を維持しつつ、ＰＳドメイン（ＳＧＳＮ経由）でＬＴＥからＷＣＤＭＡへ切り替えることができ、ＷＣＤＭＡへの通信切替後に、ＣＳドメインの接続を実施する方式である。
【０００６】
また、ＲＲＣ（RadioResource Control） Connection Release with Redirectionを用いたＣＳ Fallbackは、ＬＴＥで無線ネットワークとの接続を切断し、移動局が一旦Idle状態に遷移した後、ＷＣＤＭＡの報知情報を受信し、ＷＣＤＭＡでの接続を開始する方式である。
【０００７】
特許文献１には、移動局より通知されるＩＤＮＮＳ（Intra Domain NAS Node Selector）内のＮＲＩ（NetworkResource Identity）が示すＭＳＣが利用不可である場合、ＲＮＣはＲＲＣ ConnectionRequestに設定されるＴＭＳＩを用いて、利用不可ＭＳＣを回避する手法が記載されているが、上述の通り、Inter-ＲＡＴＰＳ-ＨＯでのＣＳ Fallback手順では、無線ＮＷの接続を維持しているため、ＲＲＣ Connection Requestは受信できない。ＲＲＣ ConnectionRequestはIdle状態から通信開始時に送信するメッセージであるため、無線接続がされている状態では、ＲＲＣ Connection Requestは送信されないためである。また、Inter-ＲＡＴＰＳ-ＨＯは、ＰＳドメイン（ＳＧＳＮ経由）でＬＴＥからＷＣＤＭＡへ切り替えるため、ＣＳドメインで払い出されるＴＭＳＩは、ＳＧＳＮより通知されることはない。３ＧＰＰＴＳ２５．４１３のRelocation Requestというメッセージにより、Inter-ＲＡＴ ＰＳ-ＨＯが開始されるが、当該メッセージにはＴＭＳＩを設定することができない。そのため、ＲＮＣでは、ＴＭＳＩを用いて、利用不可のＭＳＣを回避し、着信要求のあったＭＳＣを特定することができない。
【０００８】
そこで、上述の課題を解決するために、Inter-ＲＡＴ ＰＳ−ＨＯでのＣＳ Fallback時において、ＭＳＣなど交換機が利用不可の場合であっても、他の交換機を選択することができる交換機選択方法、通信制御装置、および交換機を提供することを目的とする。
【課題を解決するための手段】
【０００９】
上記の課題を解決するために、本発明の交換機選択方法は、第１の通信システムにおける移動局が在圏可能な第１の交換機と、交換機選択装置において選択指示がなされることにより前記第１の通信システムにおける前記移動局が通信可能な第２の交換機と、に接続される通信制御装置の交換機選択方法において、移動局が第２の通信システムから第１の通信システムに在圏先を切り替える際に、前記交換機選択装置において選択された前記第２の交換機を特定可能な情報を記憶手段に記憶する記憶ステップと、着信要求に応じて、前記移動局から前記第１の交換機の識別情報を含んだ接続要求を受信する接続要求受信ステップと、前記接続要求受信ステップにより接続要求が受信されると、前記第１の交換機の状態を判断する状態判断ステップと、前記状態判断ステップにより前記第１の交換機が利用不可であると判断されると、前記記憶手段に記憶された前記第２の交換機を特定可能な情報に基づいて前記第２の交換機を特定する特定ステップと、前記特定ステップにより特定された前記第２の交換機に対して接続要求を送信する接続要求ステップと、を備えている。
【００１０】
この発明によれば、第２の通信システムから第１の通信システムに移動局の在圏先を切り替える際に、着信要求時に送信された、交換機選択装置において選択された第２の交換機を特定可能な情報を記憶しておき、移動局から利用不可である第１の交換機に対する接続要求を受けると、この第２の交換機を特定可能な情報に基づいて第２の交換機を特定して、当該第２の交換機に対して接続要求を送信する。これにより第１の交換機が利用不可であっても、それを回避して第２の交換機に対して接続処理を行うことができる。特に、ＣＳFallback時などの通信システムを切り替える際においては、ＴＭＳＩを利用する方法では、利用可能な交換機を特定することができなかったが、本発明においては、そのような場合においても、確実に利用不可の交換機を回避して、利用可能な第２の交換機を選択することができる。
【００１１】
また、本発明の交換機選択方法は、前記第１の通信システムにおける第３の交換機が、移動局が第２の通信システムから第１の通信システムに切り替える際に、前記交換機選択装置において選択された前記第２の交換機を特定可能な情報を、前記第２の通信システムから取得する取得ステップと、前記取得ステップにおいて取得された第２の交換機を特定可能な情報を前記通信制御装置に送信する送信ステップとを備え、前記通信制御装置における前記記憶ステップは、前記取得ステップにおいて取得された第２の交換機を特定可能な情報を記憶する。
【００１２】
この発明によれば、第１の通信システムにおける第３の交換機が、第２の通信システムから第１の通信システムに切り替える際に、交換機選択装置において選択された第２の交換機を特定可能な情報を、前記第２の通信システムから取得し、第２の交換機を特定可能な情報を通信制御装置に送信し、通信制御装置は、送信された第２の交換機を特定可能な情報を記憶する。これにより、通信システムの切替の際において、第３の交換機が第２の交換機を特定可能な情報を引き継ぎ、これを通信制御装置に通知することができ、これにより第１の交換機が利用不可であっても、それを回避して第２の交換機に対して接続処理を行うことができる。
【００１３】
また、本発明の交換機選択方法は、前記第２の交換機が、当該第２の交換機を特定可能な情報を含んだ着信要求を前記通信制御装置または前記第２の通信システムに送信する着信要求ステップと、を備え、前記記憶ステップは、前記着信要求ステップにおいて送信された着信要求に含まれる前記第２の交換機を特定可能な情報を記憶する。
【００１４】
この発明によれば、第２の交換機を特定可能な情報を含んだ着信要求を通信制御装置または第２の通信システムに送信し、この着信要求に含まれる第２の交換機を特定可能な情報を記憶する。これにより、第２の交換機を特定することができるため、第１の交換機が利用不可であったとしても、これを回避し第２の交換機に接続することができる。
【００１５】
また、本発明の通信制御装置は、第１の通信システムにおける移動局が在圏可能な第１の交換機と、交換機選択装置において選択指示がなされることにより前記第１の通信システムにおける前記移動局が通信可能な第２の交換機とに接続される通信制御装置において、移動局が第２の通信システムから第１の通信システムに在圏先を切り替える際に、前記交換機選択装置において選択された前記第２の交換機を特定可能な情報を記憶する記憶手段と、前記着信要求に応じて、前記移動局から前記第１の交換機の識別情報を含んだ接続要求を受信する接続要求受信手段と、前記接続要求受信手段により接続要求が受信されると、前記第１の交換機の状態を判断する状態判断手段と、前記状態判断手段により第１の交換機が利用不可であると判断されると、前記記憶手段に記憶された前記第２の交換機を特定可能な情報に基づいて前記第２の交換機を特定する特定手段と、前記特定手段により特定された前記第２の交換機に対して接続要求を送信する接続要求手段と、を備えている。
【００１６】
この発明によれば、第２の通信システムから第１の通信システムに移動局の在圏先を切り替える際に、着信要求時に送信された、交換機選択装置において選択された第２の交換機を特定可能な情報を記憶しておき、移動局から利用不可である第１の交換機に対する接続要求を受けると、この第２の交換機を特定可能な情報を利用して第２の交換機を特定して、当該第２の交換機に対して接続要求を送信する。これにより第１の交換機が利用不可であっても、それを回避して第２の交換機に対して接続処理を行うことができる。特に、ＣＳFallback時などの通信システムを切り替える際においては、ＴＭＳＩを利用する方法では、利用可能な交換機を特定することができなかったが、本発明においては、そのような場合においても、確実に利用不可の交換機を回避して、利用可能な第２の交換機を選択することができる。
【００１７】
また、本発明の通信制御装置は、前記移動局に対する、前記移動局の識別情報および前記第２の交換機の識別情報を含んだ着信要求を受信する着信要求受信手段と、前記着信要求受信手段により受信された前記移動局の識別情報および前記第２の交換機の識別情報を記憶する識別情報記憶手段と、を備え、前記記憶手段は、第２の交換機を特定可能な情報として、前記移動局の識別情報を記憶しておき、前記特定手段は、前記移動局から接続要求がされると、前記記憶手段に記憶されている識別情報を用いて、前記識別情報記憶手段から、当該識別情報に対応する前記第２の交換機の特定を行う。
【００１８】
この発明によれば、宛先となる移動局の識別情報および第２の交換機の識別情報を含んだ着信要求を受信して記憶するとともに、通信システムを切り替える際に、第２の交換機を特定可能な情報として、移動局の識別情報を記憶し、移動局から接続要求がされると、通信システムを切り替える際に記憶された識別情報を用いて、当該識別情報に対応する前記第２の交換機の特定を行う。これにより、ＴＭＳＩを用いることなく、利用可能な交換機を特定することができる。
【００１９】
また、本発明の通信制御装置は、第２の通信システムから第１の通信システムに切り替える際に、前記第２の交換機の識別情報を、前記第１の通信システムにおけるパケット通信用の交換機から受信する識別情報受信手段を備え、前記記憶手段は、前記識別情報受信手段により受信された前記第２の交換機の識別情報を、第２の交換機を特定可能な情報として記憶する。
【００２０】
この発明によれば、第２の通信システムから第１の通信システムに切り替える際に、当該第２の通信システムにおける第２の交換機の識別情報を、第１の通信システムにおけるパケット通信用の交換機から受信し、これを第２の交換機を特定可能な情報として記憶する。これにより、ＴＭＳＩを用いることなく、利用可能な交換機を特定することができる。
【００２１】
また、本発明の通信制御装置は、前記接続要求受信手段により接続要求が受信されると、第２の通信システムから第１の通信システムへ、移動局の在圏先を切り替えるための手順が行われたか否かを判断する切替手順判断手段をさらに備え、前記特定手段は、前記状態判断手段により第１の交換機が利用不可であると判断されるとともに、前記切替手順判断手段にて、切替手順が行われたと判断されると、前記記憶手段に記憶された前記第２の交換機の識別情報に基づいて前記第２の交換機の特定を行う。
【００２２】
また、本発明の交換機は、第１の通信システムに配置される交換機であって、交換機選択装置により利用可能な交換機として選択され、移動局に対する着信要求処理が受け付けられると、前記移動局の識別情報および前記交換機を示す交換機識別情報を含んだ第１の着信要求を、上記通信制御装置に送信するとともに、第２の着信要求を第２の通信システム宛てに送信する送信手段を備える。
【００２３】
この発明によれば、交換機選択装置により利用可能な交換機として選択され、移動局に対する着信要求処理が受け付けられると、前記移動局の識別情報および前記交換機を示す交換機識別情報を含んだ第１の着信要求を通信制御装置に送信するとともに、第２の着信要求を第２の通信システム宛てに送信する。これにより、通信制御装置において、利用可能な交換機を特定することが可能となる。
【００２４】
また、本発明の交換機は、第１の通信システムに配置される交換機であって、交換機選択装置により利用可能な交換機として選択され、移動局に対する着信要求処理が受け付けられると、第１の着信要求を、上記通信制御装置に送信するとともに、前記交換機を示す交換機識別情報を含んだ第２の着信要求を第２の通信システム宛てに送信する送信手段を備える。
【００２５】
この発明によれば、交換機選択装置により利用可能な交換機として選択され、移動局に対する着信要求処理が受け付けられると、第１の着信要求を、通信制御装置に送信するとともに、交換機を示す交換機識別情報を含んだ第２の着信要求を第２の通信システム宛てに送信する。これにより、通信制御装置において、利用可能な交換機を特定することが可能となる。
【発明の効果】
【００２６】
本発明によれば、在圏中の交換機が利用不可であっても、それを回避して、選択された利用可能な交換機に対して接続処理を行うことができる。
【図面の簡単な説明】
【００２７】
【図１】第１の実施形態のＲＮＣ１００を用いたネットワーク構成を示すシステム図である。
【図２】第１の実施形態のＲＮＣ１００の機能構成を示すブロック図である。
【図３】第１の実施形態のＭＳＣ２００の機能構成を示すブロック図である。
【図４】第１の実施形態のＲＮＣ１００によるＭＳＣの選択処理を示すシーケンス図である。
【図５】第２の実施形態のＲＮＣ１００ａの機能構成を示すブロック図である。
【図６】第２の実施形態のＲＮＣ１００ａによるＭＳＣの選択処理を示すシーケンス図である。
【発明を実施するための形態】
【００２８】
添付図面を参照しながら本発明の実施形態を説明する。可能な場合には、同一の部分には同一の符号を付して、重複する説明を省略する。
【００２９】
［第１の実施形態］
図１は、本実施形態のＲＮＣ１００を用いたネットワーク構成を示すシステム図である。図１に示される通り、このネットワークは、ＲＮＣ（Radio Network Controller）１００、ＭＳＣ（MobileSwitching Center）２００、ＭＳＣ２００ａ、ＳＧＳＮ（Serving GPRS SupportNode）３００、移動局４００、ｅＮＢ（Evolved Node B）５００、コアネットワーク装置６００、および交換機選択装置７００から構成されている。
【００３０】
ＲＮＣ１００、ＭＳＣ２００および２００ａ、ＳＧＳＮ３００、交換機選択装置７００は、例えば、ＷＤＣＭＡ（Wideband Code Division Multiple Access）による通信ネットワークを構成するものであり、ｅＮＢ５００およびコアネットワーク装置６００は、ＬＴＥ（Long Term Evolution）のネットワークを構成するものである。なお、本実施形態においては、ＷＣＤＭＡとＬＴＥのセルを置き換えて構成してもよく、また各システムは、ＧＳＭ（Global System for Mobile Communication）／ＧＥＲＡＮ（GSM EDGERadio Access. Network）やＣＤＭＡ２０００等の別のシステムとしてもよい。
【００３１】
図１においては、ＲＮＣ１００が、ＷＣＤＭＡセルを形成しており、移動局４００は、このセル内においては、ＷＣＤＭＡ通信を可能にしている。また、ｅＮＢ５００がＬＴＥセルを形成しており、このセル内においては、移動局４００は、ＬＴＥ通信を可能にしている。ＷＣＤＭＡ通信システムとＬＴＥ通信システムとは、コアネットワーク装置６００を介して接続されている。
【００３２】
ＲＮＣ１００は、移動局に対する無線通信制御を行う通信制御装置であって、ＷＣＤＭＡセルに移動局４００が在圏していた場合、その無線制御を行うものである。ＳＧＳＮ３００は、パケット通信用の交換機であり、ＭＳＣ２００および２００ａは、音声通信用の交換機である。
【００３３】
ｅＮＢ５００は、ＬＴＥネットワークにおける基地局であって、移動局４００がＬＴＥ通信を可能にするＬＴＥセルを形成している。
【００３４】
また、コアネットワーク装置６００、ＳＧＳＮ３００、ＲＮＣ１００、ｅＮＢ５００は、Inter-ＲＡＴ ＰＳ−ＨＯによるＣＳＦＢ機能（ＣＳFallback機能）を有しているものとする。さらに、移動局４００は、ＬＴＥセルに在圏しているものとし、Inter-ＲＡＴ ＰＳ−ＨＯを実行する場合には、ＬＴＥからＷＣＤＭＡへハンドオーバ（ＨＯ）を実行するものとする。なお、別ＲＡＴ（例えばＬＴＥからＧＥＲＡＮ）に適用することもできる。
【００３５】
ここで、移動局４００は、ＭＳＣ２００ａに在圏しているものとし、移動局４００はＮＲＩとしてＭＳＣ２００ａの識別情報（例えば、ＭＳＣ＃１を示す値）を保持しているものとする。そして、移動局４００は、ＬＴＥセルに在圏している場合に、音声通信に対する着信時には、この移動局４００はＷＣＤＭＡ通信システムにおけるＭＳＣ２００ａを介して着信要求を受け付けることになる。
【００３６】
本実施形態においては、移動局４００が音声通信時に利用するＭＳＣ２００ａが故障等により利用不可である場合であっても、音声通信接続を確実に行わせるために、交換機選択装置７００が選択したＭＳＣ２００が移動局４００に対する着信処理を行う。このとき、移動局４００がＣＳFallback機能を実行すると、移動局４００は、ＭＳＣ２００ａの識別情報を保持しているが、ＭＳＣ２００の識別情報は保持していないことからＭＳＣ２００を介して接続処理を行うことができない。
【００３７】
本実施形態においては、ＭＳＣ２００は、音声通信における着信処理時に、ＭＳＣ２００の識別情報をＲＮＣ１００に記憶させておき、ＲＮＣ１００は、移動局４００からのＣＳ接続要求処理時に、ＭＳＣ２００の識別情報を抽出することにより、ＭＳＣ２００に対して接続処理を行おうとするものである。
【００３８】
以下、さらに詳細に説明する。図２は、本実施形態のＲＮＣ１００の機能構成を示すブロック図である。このＲＮＣ１００は、ＣＮ信号送受信部１０１（接続要求手段、着信要求受信手段）、ＩＭＳＩ／Ｇ−ＣＮＩＤ保持部１０２（識別情報記憶手段）、ＴＭＳＩ／ＩＭＳＩ保持部１０３（記憶手段）、ＵＥ信号送受信部１０４（接続要求受信手段）および接続先ＭＳＣ判定部１０５（状態判断手段、特定手段）を含んで構成されている。以下、各構成要素について説明する。
【００３９】
ＣＮ信号送受信部１０１は、ＣＳ（Circuit Switching：回線交換）用コアネットワークおよびＰＳ（PacketSwitching：パケット通信）用コアネットワークからの各種信号を受信し、または当該コアネットワークに対して各種信号を送信する部分である。
【００４０】
ＩＭＳＩ／Ｇ−ＣＮＩＤ保持部１０２は、ＭＳＣ２００から送信され、ＣＮ信号送受信部１０１により受信された着信要求に含まれているＩＭＳＩ（International Mobile Subscriber Identity）およびＧ−ＣＮＩＤ（Global Core Network ID）を記憶する部分である。本実施形態では、Ｇ−ＣＮＩＤとして、ＭＳＣ＃２：ＭＳＣ２００を示す識別情報を記憶する。なお、このＩＭＳＩ／Ｇ−ＣＮＩＤ保持部１０２では、古い誤った情報が登録されないようにタイマ等を用いて定期的に情報を消去してもよい。また、ＩＭＳＩ／Ｇ−ＣＮＩＤ保持部１０２は、これら識別情報に対応付けて情報登録時刻を記憶しておき、接続先ＭＳＣ判定部１０５が一定時間以上経過した情報は用いないようにすることもできる。
【００４１】
ＴＭＳＩ（TemporaryMobile Subscribe Identity）／ＩＭＳＩ保持部１０３は、ＳＧＳＮ３００から送信され、ＣＮ信号送受信部１０１により受信されたＩＭＳＩや、コアネットワークから送信されたＴＭＳＩを記憶する部分である。
【００４２】
ＵＥ信号送受信部１０４は、移動局４００からの信号を送受信する部分である。例えば、ＵＥ信号送受信部２０４は、Inter−ＲＡＴ ＰＳ−ＨＯ応答を受信したり、ＣＳ接続要求のためのＲＲＣメッセージ（InitialDirect Transfer）を受信する。そのほか、移動局４００とネットワークとの間の通信制御のための信号の送受信を行う。
【００４３】
接続先ＭＳＣ判定部１０５は、ＵＥ信号送受信部１０４によりＣＳ接続要求が受信されると、そのＣＳ接続要求に含まれているＭＳＣ２００の識別情報に基づいて、そのＭＳＣが使用可か不可を判断する部分である。そして、不可であると判断する場合には、ＩＭＳＩ／Ｇ−ＣＮＩＤ保持部１０２に記憶されているＩＭＳＩ／Ｇ−ＣＮＩＤおよびＴＭＳＩ／ＩＭＳＩ保持部１０３に記憶されているＩＭＳＩに対応するＧ−ＣＮＩＤを抽出する部分である。ＣＮ信号送受信部１０１は、抽出されたＧ−ＣＮＩＤに基づいて定められたＭＳＣ２００に対してＣＳ接続要求を送信する。
【００４４】
つぎに、本実施形態のＭＳＣ２００（２００ａ）の構成について説明する。図３は、本実施形態のＭＳＣ２００の機能構成を示すブロック図である。このＭＳＣ２００は、交換機としての機能を有するほかに、切替受付部２１０および着信要求送信部２２０（送信手段）を含んで構成されている。
【００４５】
切替受付部２１０は、交換機選択装置７００から選択処理にしたがって、選択されたことを受け付ける部分である。
【００４６】
着信要求送信部２２０は、音声通信による着信要求が他の端末から受け付けられると、ＲＮＣ１００に対しては、ＩＭＳＩおよびＧ−ＣＮＩＤ（ＭＳＣ＃２：ＭＳＣ２００を示す識別情報）を送信し、ＬＴＥのコアネットワーク装置６００に対しては、着信要求を送信する部分である。
【００４７】
本実施形態におけるＭＳＣ２００は、ＲＮＣ１００に対して、事前に、着信先の移動局のＩＭＳＩと、自分を示すＧ−ＣＮＩＤとを送信しておき、ＲＮＣ１００にこれら識別情報を記憶させておくものである。
【００４８】
つぎに、このように構成されたＲＮＣ１００およびＭＳＣ２００を用いた処理シーケンスついて説明する。図４は、本実施形態のＲＮＣ１００およびＭＳＣ２００を用いたＭＳＣの選択処理を示すシーケンス図である。
【００４９】
なお、前提として、ＲＮＣ１００および交換機選択装置７００は、常にＭＳＣ２００および２００ａを監視しており、ＭＣＳ２００ａが故障等により利用不可となった場合、その旨認識することができる。図４の例では、ＭＳＣ２００ａは利用不可状態であり、交換機選択装置７００はその旨認識している。そして、交換機選択装置７００は、利用可能な交換機として、ＭＳＣ２００を選択する。また、移動局４００は、ＬＴＥセルに在圏しているものとする（Ｓ１０１）。
【００５０】
ＭＳＣ２００では、他端末からの着信要求が受け付けられると、ＲＮＣ１００に対しては、着信先の移動局４００のＩＭＳＩおよびＧ−ＣＮＩＤを含んだ着信要求が送信される（着信要求ステップ）。ＲＮＣ１００では、ＣＮ信号送受信部１０１により着信要求が受信され、この着信要求に含まれている移動局４００のＩＭＳＩおよびＧ−ＣＮＩＤ：ＭＳＣ＃２が、ＩＭＳＩ／Ｇ−ＣＮＩＤ保持部１０２に記憶される（Ｓ１０２）。なお、ＲＮＣ１００は、ＭＳＣ２００から着信要求を受けると、移動機４００に対して着信処理を行うが、本実施形態においては、移動機４００がＬＴＥエリアに在圏しているため、着信処理が実行されることはない。
【００５１】
また、コアネットワーク装置６００に対しては、着信要求が送信される。そして、コアネットワーク装置６００では、ｅＮＢ５００を介して、移動局４００に対して着信要求が送信される（Ｓ１０３）。
【００５２】
移動局４００では、ｅＮＢ５００から着信要求を受け付けられると、ＷＣＤＭＡシステムに切り替えるためのＣＳFallbackが実行される。本実施形態では、ＬＴＥ側（コアネットワーク装置６００）において、Inter-ＲＡＴ ＰＳ−ＨＯによるＣＳFallbackが起動され、移動局４００は、ＬＴＥ接続状態から３Ｇ（ＷＣＤＭＡ）接続状態に切り替えられる（Ｓ１０４）。
【００５３】
このＣＳFallbackに際して、ＳＧＳＮ３００において、移動局４００のＩＭＳＩが、ＬＴＥのコアネットワーク装置６００（または加入者情報を管理する管理装置）から引き継がれる（取得ステップ）。そして、ＳＧＳＮ３００から移動局４００のＩＭＳＩがＲＮＣ１００に送信され（送信ステップ）、ＲＮＣ１００におけるＣＮ信号送受信部１０１によりＩＭＳＩが受信され、ＴＭＳＩ／ＩＭＳＩ保持部１０３に記憶される（Ｓ１０５：記憶ステップ、）。具体的にはＲＡＮＡＰ（Radio Access Network Application Part）プロトコルにより、ＩＭＳＩを含んだRelocationRequestが送信される。
【００５４】
そして、ネットワーク側におけるInter-ＲＡＴＰＳ−ＨＯによるＣＳFallbackが完了すると（Ｓ１０６）、ｅＮＢ５００からInter-ＲＡＴ ＰＳ−ＨＯの要求処理が行われる（Ｓ１０７）。移動局４００では、その応答処理が行われ、ＲＲＣメッセージとしてHandover to UTRAN CompleteがＲＮＣ１００に送信される（Ｓ１０８）。そして、ＣＳ接続要求のために、ＲＲＣメッセージとして、Initial Direct TransferがＲＮＣ１００に送信され、ＲＮＣ１００において、この接続要求のための信号が受信される（Ｓ１０９：接続要求受信ステップ）。この信号には、ＣＳ−ＮＲＩとして、ＭＳＣ２００ａの識別情報（ＭＳＣ＃１）が含まれている。
【００５５】
ＲＮＣ１００においては、このＲＲＣメッセージが受信されると、その信号に含まれているＭＳＣの識別情報が抽出される。ここでは、接続先ＭＳＣ判定部１０５により、ＭＳＣ２００ａの識別情報であるＭＳＣ＃１が抽出され、これは利用不可であることが判断される。そして、ＲＮＣ１００においては、接続先ＭＳＣ判定部１０５により、このＴＭＳＩ／ＩＭＳＩ保持部１０３にＩＭＳＩが記憶されていることが判断されると、このＴＭＳＩ／ＩＭＳＩ保持部１０３に記憶されているＩＭＳＩに対応するＧ−ＣＮＩＤが、ＩＭＳＩ／Ｇ−ＣＮＩＤ保持部１０２から抽出される。ここでは、ＭＳＣ２００の識別情報を示すＭＳＣ＃２が抽出される。そして、そのＩＤで示されるＭＳＣ２００が接続先と判断される（Ｓ１１０：状態判断ステップ、特定ステップ）。ＣＮ信号送受信部１０１により、接続先と判断されたＭＳＣ２００に対してＣＳ接続要求が送信される（Ｓ１１１：接続要求ステップ）。
【００５６】
このような処理により、ＲＮＣ１００は、利用不可であるＭＳＣ２００ａを回避して、利用可能なＭＳＣ２００を特定することができ、よってこのＭＳＣ２００に対してＣＳ接続することができる。
【００５７】
つぎに、第1の実施形態の作用効果について説明する。この実施形態の通信制御装置であるＲＮＣ１００において、ＴＭＳＩ／ＩＭＳＩ保持部１０３は、ＬＴＥ（第２の通信システム）からＷＣＤＭＡ（第１の通信システム）に移動局４００の在圏先を切り替える際、すなわちＣＳFallback処理時に、他端末からの着信要求時に送信された、交換機選択装置７００において選択されたＭＳＣ２００（第２の交換機）を特定可能な情報を記憶しておく。
【００５８】
本実施形態においては、着信要求には、移動局４００の識別情報：ＩＭＳＩと、ＭＳＣ２００の識別情報：Ｇ−ＣＮＩＤ（ＭＳＣ＃２）とが含まれており、この着信要求がＭＳＣ２００から送信され、ＲＮＣ１００はこれら情報を対応付けて記憶する。なお、ＭＳＣ２００を特定可能な情報は、移動局４００の識別情報であるＩＭＳＩであり、ＣＳFallback処理時に、ＳＧＳＮ３００においてこのＩＭＳＩをＬＴＥ側から引き継ぎ、そして、ＲＮＣ１００に通知する。ＲＮＣ１００は、ＭＳＣ２００を特定可能な情報として、ＳＧＳＮ３００（第３の交換機に相当）から送信されたＩＭＳＩを記憶する。
【００５９】
そして、ＵＥ信号送受信部１０４は、ＣＳFallback処理の完了に応じて、移動局４００からＣＳ接続要求（利用不可であるＭＳＣ２００ａ（第１の交換機）に対する接続要求）を受けると、接続先ＭＳＣ判定部１０５は、このＭＳＣ２００を特定可能な情報であるＩＭＳＩを利用してＭＳＣ２００の識別情報であるＧ−ＣＮＩＤを、ＩＭＳＩ／Ｇ−ＣＮＩＤ保持部１０２から抽出することにより、ＭＳＣ２００を特定する。
【００６０】
そして、ＣＮ信号送受信部１０１は、当該ＭＳＣ２００に対してＣＳ接続要求を送信する。これによりＭＳＣ２００ａが利用不可であっても、それを回避してＭＳＣ２００に対して接続処理を行うことができる。特に、ＣＳFallback時などの通信システムを切り替える際においては、ＴＭＳＩを利用する方法では、利用可能な交換機を特定することができなかったが、本発明においては、そのような場合においても、確実に利用不可の交換機を回避して、利用可能なＭＳＣ２００を選択することができる。
【００６１】
ここで、ＭＳＣ２００は、交換機選択装置７００により利用可能な交換機として選択されており、他端末または他ネットワークを介して移動局４００に対する着信要求処理が受け付けられると、着信要求送信部２２０は、移動局４００の識別情報であるＩＭＳおよび交換機を示す交換機識別情報であるＧ−ＣＮＩＤを含んだ着信要求をＲＣＮ１００に送信するとともに、着信要求をＬＴＥ通信システムであるコアネットワーク装置６００宛てに送信する。これにより、ＲＮＣ１００において、利用可能な交換機を特定することが可能となる。
【００６２】
［第２の実施形態］
この第２の実施形態においては、図１と同様のネットワーク構成をとるものであり、ＲＮＣ１００ａ、ＭＳＣ２００・２００ａ、ＳＧＳＮ３００ａ、ｅＮＢ５００、およびコアネットワーク装置６００から構成されたものである。この実施形態においては、ＳＧＳＮ３００ａが、ＣＳFallback時において、利用可能な交換機であるＭＳＣ２００の識別情報を引き継ぎ、これを利用して、ＲＮＣ１００ａは、移動局４００からのＣＳ接続要求を実行するものである。
【００６３】
図５は、本実施形態のＲＮＣ１００ａの機能構成を示すブロック図である。このＲＮＣ１００ａは、ＣＮ信号送受信部２０１（接続要求手段、識別情報受信手段）、ＣＳ−ＮＲＩ保持部２０２（記憶手段）、ＣＳＦＢ手順判定部２０３（切替手順判断手段）、ＵＥ信号送受信部２０４（接続要求受信手段）および接続先ＭＳＣ判定部２０５（特定手段）を含んで構成されている。以下、各構成要素について説明する。
【００６４】
ＣＮ信号送受信部２０１は、ＣＳ用コアネットワークおよびＰＳ用コアネットワークからの各種信号を受信し、または当該コアネットワークに対して各種信号を送信する部分である。
【００６５】
ＣＳ−ＮＲＩ保持部２０２は、移動局４００によるＣＳFallback処理に際して、ＳＧＳＮ３００ａからＲＡＮＡＰメッセージとして送信されたRelocationRequestに含まれているＮＲＩ：ＭＳＣの識別情報を記憶する部分である。なお、このＣＳ−ＮＲＩ保持部２０２は、古い誤った情報を記憶しておかないようにタイマ等を用いて定期的に情報を消去してもよい。また、情報登録時刻を記憶しておき、接続先ＭＳＣ判定部２０５は、一定時間以上経過した情報を用いないようにすることもできる。
【００６６】
ＣＳＦＢ手順判定部２０３は、移動局４００によるInter−ＲＡＴ ＰＳ−ＨＯによるＣＳFallback手順がなされたか否かを判断する部分であり、具体的には、ＲＲＣメッセージであるHandover to UTRAN Completeが受信され、一定時間以内にＣＳ接続を受信したか否かに基づいて判断する。また、別の方法として、事前にＳＧＳＮ３００ａにより、ＣＳFallback手順を行ったことを通知してもらうことにより、その判断を行うことができる。
【００６７】
なお、ＣＳＦＢ手順判定部２０３は、一定時間以内に通信状態が変わるなどの、所定の条件を満たした場合には、ＣＳFallback処理は行われていないと判断することもできる。例えば、通信状態が変わるとは、ＣＳ接続ができない通信状態を示しており、そのほか、低い通信レートでのパケット通信などに使用される共通チャネルによる通信や、通信チャネルを切断して、移動局とのコネクションを切断した状態などである。
【００６８】
ＵＥ信号送受信部２０４は、移動局４００からの信号を送受信する部分である。例えば、ＵＥ信号送受信部２０４は、Inter−ＲＡＴ ＰＳ−ＨＯ応答を受信したり、ＣＳ接続要求のためのＲＲＣメッセージ（InitialDirect Transfer）を受信する。そのほか、移動局４００とネットワークとの間の通信制御のための信号の送受信を行う。
【００６９】
接続先ＭＳＣ判定部２０５は、ＵＥ信号送受信部２０４により受信されたＣＳ接続要求のためＲＲＣメッセージが受信されると、そのＲＲＣメッセージに含まれているＮＲＩ（ＭＳＣの識別情報）に基づいて、そのＭＳＣが利用可状態か否かを判断する。そして、ＭＳＣが利用不可であると判断すると、接続先ＭＳＣ判定部２０５は、ＣＳＦＢ手順判定部２０３による判定結果に基づいて、ＣＳFallback手順が実行されたか否かを判断する。ここでＣＳFallback手順が実行されたと判断されると、接続先ＭＳＣ判定部２０５は、ＣＳ−ＮＲＩ保持部２０２に記憶されているＮＲＩで示されるＭＳＣを接続先と判断する。ＣＮ信号送受信部２０１は、ここで判断された接続先となるＭＳＣに対してＣＳ接続要求を送信する。
【００７０】
また、ＭＳＣ２００ｂについて説明する。このＭＳＣ２００ｂは、その機能構成は、図３に示されるブロック構成を同じ構成をとる。このＭＳＣ２００ｂにおいては、着信要求送信部２２０は、切替受付部２１０により利用可の交換機として、その選択が受け付けられると、ＲＮＣ１００ａおよびコアネットワーク装置６００に対して着信要求を送信する。コアネットワーク装置６００に対する着信要求には、ＣＳ−ＮＲＩとして自機を示す交換機であるＭＳＣ＃２（ＭＳＣ２００ｂの識別情報）が含まれる。
【００７１】
つぎに、このように構成されたＲＮＣ１００ａおよびＭＳＣ２００ｂを用いた通信システムにおけるＭＳＣの選択処理について説明する。図６は、その処理を示すシーケンス図である。この図６においても、図３におけるシーケンス処理と同様に、ＭＳＣ２００ｃは、利用不可状態であり、交換機選択装置７００はその旨を検出して、ＭＳＣ２００ｂを選択している。また、移動局４００はＬＴＥセルに在圏している状態である（Ｓ２０１）。
【００７２】
ＭＳＣ２００では、他端末からの着信要求が受け付けられると、ＲＮＣ１００ａに対しては着信要求が送信される。また、コアネットワーク装置６００に対しては、ＣＳ−ＮＲＩとしてＭＳＣ２００ｂの識別情報を含んだ着信要求が送信される（着信要求ステップ）。そして、コアネットワーク装置６００では、ｅＮＢ５００を介して、移動局４００に対して着信要求が送信される（Ｓ２０３）。
【００７３】
移動局４００では、ｅＮＢ５００から着信要求を受け付けられると、ＷＣＤＭＡシステムに切り替えるためのＣＳFallback処理が実行される。本実施形態では、ＬＴＥ側（コアネットワーク装置６００）においては、Inter-ＲＡＴ ＰＳ−ＨＯによるＣＳFallback処理が起動され、移動局４００は、ＬＴＥ接続状態から３Ｇ（ＷＣＤＭＡ）接続状態に切り替えられる（Ｓ２０４）。
【００７４】
このＣＳFallback処理に際して、ＣＳ−ＮＲＩは、コアネットワーク装置６００およびＳＧＳＮ３００ａに引き継がれる（取得ステップ）。そして、ＳＧＳＮ３００ａからＮＲＩ：ＭＳＣ＃２（ＭＳＣ２００ｂの識別情報）がＲＮＣ１００ａに送信される（送信ステップ）。ＲＮＣ１００ａにおけるＣＮ信号送受信部２０１によりＮＲＩが受信され、ＣＳ−ＮＲＩ保持部２０２に記憶される（Ｓ２０５：記憶ステップ）。具体的にはＲＡＮＡＰ（Radio Access Network Application Part）プロトコルによるRelocation Requestが送信される。この信号には、ＮＲＩとしてＭＳＣ２００ｂの識別情報が含まれている。
【００７５】
そして、ネットワーク側におけるInter-ＲＡＴＰＳ−ＨＯによるＣＳFallback処理が完了すると（Ｓ２０６）、ｅＮＢ５００からInter-ＲＡＴ ＰＳ−ＨＯの要求処理が行われる（Ｓ２０７）。移動局４００では、その応答処理が行われ、ＲＲＣメッセージとしてHandover to ＵＴＲＡＮ CompleteがＲＮＣ１００ａに送信される（Ｓ２０８）。そして、ＣＳ接続要求のために、ＲＲＣメッセージとして、Initial Direct TransferがＲＮＣ１００ａに送信される（Ｓ２０９）。この信号には、ＣＳ−ＮＲＩとして、ＭＳＣ２００ａの識別情報（ＭＳＣ＃１）が含まれている。
【００７６】
ＲＮＣ１００ａにおいては、このＲＲＣメッセージが受信されると、その信号に含まれているＭＳＣの識別情報が抽出される。ここでは、接続先ＭＳＣ判定部２０５により、ＭＳＣ２００ｃの識別情報であるＭＳＣ＃１が抽出され、これは利用不可であることが判断される。そして、ＣＳＦＢ手順判定部２０３により、ＣＳFallback手順がなされたと判断されると、接続先ＭＳＣ判定部２０５により、ＣＳ−ＮＲＩ保持部２０２に記憶されている識別情報が示すＭＳＣ２００ｂが接続先であると判断される（Ｓ２１０）。そして、ＣＮ信号送受信部２０１により、ＭＳＣ２００ｂにＣＳ接続要求が送信される（Ｓ２１１）。
【００７７】
つぎに、本実施形態の通信制御装置であるＲＮＣ１００ａの作用効果について説明する。この実施形態のＲＮＣ１００ａによれば、ＬＴＥ（第２の通信システム）からＷＣＤＭＡ（第１の通信システム）に移動局４００の在圏先を切り替える際に、ＣＳ−ＮＲＩ保持部２０２は、着信要求時に送信された、交換機選択装置７００において選択されたＭＳＣ２００ｃ（第２の交換機）を特定可能な情報を記憶する。ここで、ＭＳＣ２００ｃを特定可能な情報とは、ＭＳＣ２００の識別情報であるＣＳ−ＮＲＩ：ＭＳＣ＃２である。
【００７８】
なお、ＭＳＣ２００ｃの識別情報を記憶する際に、ＳＧＳＮ３００ａは、ＣＳFallbackに際して、ＬＴＥ側からＭＳＣ２００ｃの識別情報の引き継ぎを行っており、これをＲＮＣ１００ａに送信することにより、ＲＮＣ１００ａはＭＳＣ２００ｃの識別情報を記憶することができる。
【００７９】
そして、ＵＥ信号送受信部２０４は、移動局４００から利用不可であるＭＳＣ２００ｃ（第１の交換機）に対する接続要求を受けると、接続先ＭＳＣ判定部２０５は、ＣＳ−ＮＲＩ保持部２０２に記憶された、ＭＳＣ２００ｂ（第２の交換機）の識別情報ＣＳ−ＮＲＩを抽出することでＭＳＣ２００ｂを特定し、当該ＭＳＣ２００ｂに対してＣＳ接続要求を送信する。これによりＭＳＣ２００ｃ（第１の交換機）が利用不可であっても、それを回避してＭＳＣ２００ｂ（第２の交換機）に対してＣＳ接続処理を行うことができる。特に、ＣＳFallback時などの通信システムを切り替える際においては、ＴＭＳＩを利用する方法では、利用可能な交換機を特定することができなかったが、本実施形態においては、そのような場合においても、確実に利用不可の交換機を回避して、利用可能なＭＳＣ２００ｂを選択することができる。
【００８０】
さらに、ここでＣＳＦＢ手順を経たものであるかを、ＣＳＦＢ手順判定部２０３が判定することで、ＭＳＣを特定する際に実行される検索処理における装置負荷を軽減することが可能となる。
【００８１】
ここで、ＭＳＣ２００は、交換機選択装置７００により利用可能な交換機として選択され、移動局４００に対する着信要求処理が受け付けられると、移動局４００の識別情報であるＩＭＳＩおよびＭＳＣ２００ｂを示す交換機識別情報であるＣＳ−ＮＲＩ：ＭＳＣ＃２を含んだ着信要求をＲＮＣ１００ａに送信するとともに、着信要求をＬＴＥのコアネットワーク装置６００宛てに送信する。これにより、ＲＮＣ１００ａにおいて、利用可能なＭＳＣ２００ｂを特定することが可能となる。
【符号の説明】
【００８２】
１００、１００ａ…ＲＮＣ、１０１…ＣＮ信号送受信部、１０２…ＩＭＳＩ／Ｇ−ＮＩＤ保持部、１０３…ＴＭＳＩ／ＩＭＳＩ保持部、１０４…ＵＥ信号送受信部、１０５…接続先ＭＳＣ判定部、２０１…ＣＮ信号送受信部、２０２…ＣＳ−ＮＲＩ保持部、２０３…ＣＳＦＢ手順判定部、２０４…ＵＥ信号送受信部、２０５…接続先ＭＳＣ判定部、２００、２００ａ、２００ｂ、２００ｃ…ＭＳＣ、３００…ＳＧＳＮ、４００…移動局、５００…ｅＮＢ、６００…コアネットワーク装置、７００…交換機選択装置。
【図１】
2014232925.tif 000003
【図２】
2014232925.tif 000004
【図３】
2014232925.tif 000005
【図４】
2014232925.tif 000006
【図５】
2014232925.tif 000007
【図６】
2014232925.tif 000008